(57)【要約】  調理容器内に収容された液体と固形物とを含む調理物を撹拌する撹拌体（２０）を備える撹拌機能付き加熱調理器である。そして、撹拌体（２０）は、調理容器の底面の中心部に回転自在に取り付けられるハウジング（２１）と、ハウジング（２１）の外周面から調理容器の内周面に向けて延在するとともに、調理容器の底面側に位置する調理物を調理容器の内周面に向けて押圧するように構成された下羽根（３１）を備えている。さらに、撹拌体（２０）は、ハウジング（２１）の外周面から調理容器の内周面に向けて延在するとともに、液体の表面付近の調理物を調理容器の底面に向けて沈み込ませるように構成された上羽根（４１）を備えている。
2017033408.tif 000002
【特許請求の範囲】
【請求項１】
調理容器内に収容された液体と固形物とを含む調理物を撹拌する撹拌体を備える撹拌機能付き加熱調理器であって、
前記撹拌体は、
前記調理容器の底面の中心部に回転自在に取り付けられるハウジングと、
前記ハウジングの外周面から前記調理容器の内周面に向けて延在するとともに、前記調理容器の底面側に位置する調理物を前記調理容器の内周面に向けて押圧するように構成された下羽根と、
前記ハウジングの外周面から前記調理容器の内周面に向けて延在するとともに、前記下羽根よりも上方に位置する調理物を前記調理容器の底面に向けて沈み込ませるように構成された上羽根と、
を備える、加熱調理器。
【請求項２】
前記上羽根は、前記液体の表面を上下方向に横切るように配置され、前記液体の表面付近の調理物を前記調理容器の底面に向けて沈み込ませるように構成されている、請求項１に記載の加熱調理器。
【請求項３】
前記上羽根は、前記調理容器の内周面側に位置するとともに前記下羽根よりも上方に位置する調理物を前記ハウジング側に引き寄せるように構成された、請求項１又は２のいずれか１項に記載の加熱調理器。
【請求項４】
前記下羽根は、前記調理容器の内周面に向けて押圧した調理物を上方へ持ち上げるように構成されている、請求項１〜３のいずれか１項に記載の加熱調理器。
【請求項５】
前記上羽根は、前記ハウジングの回転方向の上流側に向かうに従い下方に傾斜するように形成されている、請求項１〜４のいずれか１項に記載の加熱調理器。
【請求項６】
前記上羽根は、平面視において前記ハウジングの回転方向の上流側に向けて凸状に湾曲するように形成されている、請求項１〜５のいずれか１項に記載の加熱調理器。
【請求項７】
前記上羽根は、平面視において前記下羽根に対して前記ハウジングの回転方向にずれて配置されている、請求項１〜６のいずれか１項に記載の加熱調理器。
【請求項８】
前記上羽根と前記下羽根とが成す角度は、９０°〜２７０°である、請求項７に記載の加熱調理器。
【請求項９】
前記上羽根は、前記ハウジングに沿って上下方向に移動可能に構成されている、請求項１〜８のいずれか１項に記載の加熱調理器。
【請求項１０】
前記上羽根は、前記液体の浮力により浮くように構成されている、請求項９に記載の加熱調理器。
【請求項１１】
前記上羽根は、中空部を備える、請求項１０に記載の加熱調理器。
【請求項１２】
前記上羽根は、前記ハウジングに対して着脱可能に構成され、前記上羽根が前記液体の浮力により浮いて露出する部分に把手部を有する、請求項１０又は１１のいずれか１項に記載の加熱調理器。
【請求項１３】
前記上羽根の上端部は、前記ハウジングの外周面から前記調理容器の内周面側に向かうに従い上方へ湾曲又は傾斜する部分を有する、請求項１〜１２のいずれか１項に記載の加熱調理器。
【請求項１４】
前記上羽根の下端部は、前記ハウジングの外周面から前記調理容器の内周面側に向かうに従い下方に湾曲又は傾斜する部分を有する、請求項１〜１３のいずれか１項に記載の加熱調理器。
【請求項１５】
前記上羽根の前記ハウジングの回転方向と平行な面に対する傾斜角度が、前記調理容器の内周面側から前記ハウジングの外周面側に向かうに従い小さくなっている、請求項１〜１４のいずれか１項に記載の加熱調理器。
【請求項１６】
前記調理容器の内周面には、前記調理容器の中心部側に突出するとともに上下方向に延在する少なくとも１つの邪魔部が設けられ、
前記邪魔部の下端部は、前記調理容器の底面と内周面との間のコーナー部に沿って湾曲している、請求項１〜１５のいずれか１項に記載の加熱調理器。
【請求項１７】
前記邪魔部の下端部の始端は、前記調理容器の底面上に位置する、請求項１６に記載の加熱調理器。
【請求項１８】
前記撹拌体は、磁気カップリングを介して着脱自在に前記調理容器の底面の中心部に取り付けられている、請求項１〜１７のいずれか１項に記載の加熱調理器。
【発明の詳細な説明】
【技術分野】
【０００１】
本発明は、調理容器内の調理物を撹拌する撹拌体を備えた撹拌機能付き加熱調理器に関する。
【背景技術】
【０００２】
従来、この種の加熱調理器の撹拌体は、調理容器の底面の中心部に回転自在に取り付けられ、調理容器の底面付近で回転することにより調理物を撹拌するように構成されている（例えば、特許文献１、特許文献２参照）。
【先行技術文献】
【特許文献】
【０００３】
【特許文献１】特許第５２５０４２８号公報
【特許文献２】特表２０１４−５３３５４４号公報
【発明の概要】
【０００４】
しかしながら、例えば、ボルシチ（borscht）などの液体と固形物とを含む調理物を調理する場合、従来の撹拌体では、想定以上に固形物が形崩れしたり、液体と固形物とがうまく混ざらなかったりして調理物を所望の通りに撹拌することが困難であるという課題がある。
【０００５】
本発明は、液体と固形物とを含む調理物をより所望の通りに撹拌することができる撹拌機能付き加熱調理器を提供する。
【０００６】
本発明に係る加熱調理器は、調理容器内に収容された液体と固形物とを含む調理物を撹拌する撹拌体を備える撹拌機能付き加熱調理器である。そして、撹拌体は、調理容器の底面の中心部に回転自在に取り付けられるハウジングと、ハウジングの外周面から調理容器の内周面に向けて延在するとともに、調理容器の底面側に位置する調理物を調理容器の内周面に向けて押圧するように構成された下羽根を備えている。さらに、撹拌体は、ハウジングの外周面から調理容器の内周面に向けて延在するとともに、下羽根よりも上方に位置する調理物を調理容器の底面に向けて沈み込ませるように構成された上羽根を備えている。
【０００７】
この構成により、本発明に係る加熱調理器は、液体と固形物とを含む調理物をより所望の通りに撹拌することができる。
【図面の簡単な説明】
【０００８】
【図１】図１は、本発明の実施の形態に係る撹拌機能付き加熱調理器の斜視図である。
【図２】図２は、本発明の実施の形態に係る撹拌機能付き加熱調理器の断面図である。
【図３】図３は、本発明の実施の形態に係る撹拌機能付き加熱調理器の蓋体を取り外した状態を示す平面図である。
【図４】図４は、本発明の実施の形態に係る撹拌機能付き加熱調理器の撹拌体の斜視図である。
【図５】図５は、本発明の実施の形態に係る撹拌機能付き加熱調理器の撹拌体の平面図である。
【図６Ａ】図６Ａは、図５の６Ａ−６Ａ断面図である。
【図６Ｂ】図６Ｂは、図５の６Ｂ−６Ｂ断面図である。
【図６Ｃ】図６Ｃは、図５の６Ｃ−６Ｃ断面図である。
【図６Ｄ】図６Ｄは、図５の６Ｄ−６Ｄ断面図である。
【図７Ａ】図７Ａは、本発明の実施の形態に係る撹拌機能付き加熱調理器の撹拌体が調理物を撹拌する様子を示す平面図である。
【図７Ｂ】図７Ｂは、本発明の実施の形態に係る撹拌機能付き加熱調理器の撹拌体が調理物を撹拌する様子を示す平面図である。
【図７Ｃ】図７Ｃは、本発明の実施の形態に係る撹拌機能付き加熱調理器の撹拌体が調理物を撹拌する様子を示す平面図である。
【図７Ｄ】図７Ｄは、本発明の実施の形態に係る撹拌機能付き加熱調理器の撹拌体が調理物を撹拌する様子を示す平面図である。
【図８Ａ】図８Ａは、図７Ａの８Ａ−８Ａ断面図である。
【図８Ｂ】図８Ｂは、図７Ｂの８Ｂ−８Ｂ断面図である。
【図８Ｃ】図８Ｃは、図７Ｃの８Ｃ−８Ｃ断面図である。
【図８Ｄ】図８Ｄは、図７Ｄの８Ｄ−８Ｄ断面図である。
【図９Ａ】図９Ａは、本発明の実施の形態に係る撹拌機能付き加熱調理器の撹拌体の下羽根が調理物を撹拌するときの下羽根と邪魔部と調理物との位置関係を示す平面図である。
【図９Ｂ】図９Ｂは、本発明の実施の形態に係る撹拌機能付き加熱調理器の撹拌体の下羽根が調理物を撹拌するときの下羽根と邪魔部と調理物との位置関係を示す平面図である。
【図９Ｃ】図９Ｃは、本発明の実施の形態に係る撹拌機能付き加熱調理器の撹拌体の下羽根が調理物を撹拌するときの下羽根と邪魔部と調理物との位置関係を示す平面図である。
【図９Ｄ】図９Ｄは、本発明の実施の形態に係る撹拌機能付き加熱調理器の撹拌体の下羽根が調理物を撹拌するときの下羽根と邪魔部と調理物との位置関係を示す平面図である。
【図１０Ａ】図１０Ａは、図９Ａに示す加熱調理器の一部切欠斜視図である。
【図１０Ｂ】図１０Ｂは、図９Ｂに示す加熱調理器の一部切欠斜視図である。
【図１０Ｃ】図１０Ｃは、図９Ｃに示す加熱調理器の一部切欠斜視図である。
【図１０Ｄ】図１０Ｄは、図９Ｄに示す加熱調理器の一部切欠斜視図である。
【図１１】図１１は、本発明の実施の形態に係る撹拌機能付き加熱調理器の撹拌体の変形例を示す斜視図である。
【発明を実施するための形態】
【０００９】
（本発明の基礎となった知見）
本発明者らは、液体と固形物とを含む調理物をより所望の通りに撹拌できるようにするため、鋭意検討した結果、以下の知見を得た。
【００１０】
従来の撹拌体は、調理容器の底面付近で回転することにより調理物を撹拌するように構成されている。しかしながら、固形物の中には液体よりも比重が軽く、液体の表面付近で浮遊するものも存在する。この場合、撹拌体を調理容器の底面付近で通常の速度で回転させるだけでは、この液体の表面付近で浮遊する固形物を十分に撹拌することができない。
【００１１】
これに対して、撹拌体を高速で回転させた場合には、撹拌力が向上して液体の表面付近で浮遊する固形物を十分に撹拌することが可能である。しかしながら、この場合、調理容器の底面付近の固形物と撹拌体との衝突回数及び衝突力が増加し、その結果、想定以上に固形物が形崩れする。
【００１２】
本発明者らは、これらの新規な知見に基づき鋭意検討した結果、下羽根よりも上方に位置する調理物を、調理容器の底面に向けて沈み込ませるように構成された上羽根を下羽根に加えて設けることで、液体と固形物とを含む調理物をより所望の通りに撹拌できることを見出した。これらの点を踏まえて、本発明者らは、以下に説明する発明に至った。
【００１３】
以下、本発明の実施の形態について、図面を参照しながら説明する。なお、この実施の形態によって本発明が限定されるものではない。
【００１４】
（実施の形態）
本発明の実施の形態に係る加熱調理器は、調理容器内に収容された調理物を撹拌する撹拌体を備える撹拌機能付き加熱調理器である。図１は、本実施の形態に係る加熱調理器の斜視図である。図２は、図１の加熱調理器の断面図である。
【００１５】
図１に示すように、本実施の形態に係る加熱調理器は、略有底筒状の機器本体１と、機器本体１の上部開口部を開閉自在に覆う蓋体２とを備えている。蓋体２は、図２に示すように、機器本体１の上方後部（図２の右上側）に設けられたヒンジ部１Ａに回動自在に取り付けられている。
【００１６】
機器本体１の前部には、調理メニューの選択等の各種操作を行う操作部３が設けられている。操作部３は、操作キー群３Ａと、表示部３Ｂとを備えている。操作キー群３Ａには、例えば、スタートキー、取り消しキー、調理メニューを選択する選択キーが含まれる。表示部３Ｂは、例えば、液晶表示パネルによって構成され、操作キー群によって設定された情報などの各種情報を表示する。
【００１７】
機器本体１の内部には、図２に示すように、調理容器４を着脱自在に収納する有底筒状の収納部５が設けられている。収納部５の底部の中心部には、モータ保持部６の一部がこの底部の中心部を貫通するように設けられている。モータ保持部６の内部には、円環状の駆動側磁石７と、駆動側磁石７を保持する磁石保持部８が設けられている。磁石保持部８の中心部には、回転駆動力を発生させるモータ９の駆動軸９Ａが挿入されている。モータ９は、収納部５の外側に設けられ、モータ保持部６によって保持されている。モータ９が駆動されることで、駆動軸９Ａが軸回りに回転し、この回転に伴って磁石保持部８及び駆動側磁石７が回転する。
【００１８】
収納部５の内側下方で且つモータ保持部６の外側には、調理容器４を加熱するヒータ１０が設けられている。本実施の形態において、ヒータ１０は、調理容器４の底壁に接触して熱を伝達するシーズヒータである。ヒータ１０は、略環状に形成され、調理容器４の底壁の外周部に対向する位置に設けられている。
【００１９】
モータ９及びヒータ１０の駆動は、制御部１１により制御される。制御部１１は、機器本体１の内部で且つ収納部５の外側に配置されている。制御部１１は、操作部３によって設定された各種情報や機器本体１内に設けられる温度センサ（図示せず）等に基づいてモータ９及びヒータ１０を含む各部、各装置の駆動を制御する。
【００２０】
調理容器４は、水などの液体と肉塊や野菜などの固形物とを含む調理物を収容可能な容器である。調理容器４の内部には、調理物を撹拌する撹拌体２０が設けられている。
【００２１】
撹拌体２０は、調理容器４の底面４ａの中心部に回転自在に取り付けられるハウジング２１と、ハウジング２１の外周面から調理容器４の内周面４ｂに向けて延在する下羽根３１及び上羽根４１とを備えている。下羽根３１は、調理容器４の底面４ａ側に位置する調理物を調理容器４の内周面４ｂに向けて押圧するように構成されている。上羽根４１は、下羽根３１よりも上方に位置する調理物を調理容器４の底面４ａに向けて沈み込ませるように構成されている。
【００２２】
ハウジング２１は、下羽根３１が取り付けられる下ハウジング部２２と、上羽根４１が取り付けられる上ハウジング部２３とを備えている。
【００２３】
下ハウジング部２２は、例えば、中空の略円柱形状に形成されている。下羽根３１は、下ハウジング部２２の外周面に固定されている。下ハウジング部２２の内部には、回転軸となる軸体２４と、軸体２４の周囲に配置された円環状の従動側磁石２５とが設けられている。従動側磁石２５は、調理容器４の外側下方に配置した駆動側磁石７とで磁気カップリングを構成する。撹拌体２０は、この磁気カップリングを介して着脱自在に調理容器４の底面４ａの中心部に取り付けられ、モータ９が駆動されることにより軸体２４の軸回りに回転する。
【００２４】
上ハウジング部２３は、例えば、略円筒形状に形成されている。上羽根４１は、上ハウジング部２３の外周面に着脱自在に接続されている。上ハウジング部２３の下端部は、下ハウジング部２２の上端部に着脱自在に連結されている。また、上ハウジング部２３は、中心軸が軸体２４と同軸となるように配置されている。
【００２５】
上羽根４１は、上ハウジング部２３の外周面に沿って上下方向に移動可能な略円筒形状の移動部４２を備えている。上羽根４１は、移動部４２により、上ハウジング部２３の外周面を上下方向に移動可能であるとともに、上ハウジング部２３の外周面と着脱可能に接続されている。また、上羽根４１は、液体の表面を上下方向に横切るように配置され、液体の表面付近の調理物を調理容器４の底面４ａに向けて沈み込ませるように構成されている。本実施の形態において、上羽根４１は、液体の浮力に浮くように構成されている。移動部４２は、液体の表面の変動に応じて上下方向に移動するように構成されている。移動部４２の側壁の内部には、浮力を生じさせるための中空部４３が設けられている。また、上羽根４１は、上羽根４１が液体の浮力により浮いて液体から露出する部分である移動部４２の上端部に、把手部４４を備えている。この把手部４４により、上ハウジング部２３に対する上羽根４１の着脱が容易になる。
【００２６】
図３は、図１の加熱調理器の蓋体２を取り外した状態を示す平面図である。図３に示すように、撹拌体２０の下羽根３１は、平面視においてハウジング２１の回転方向Ｘ１の下流側に向けて凸状に湾曲するように形成されている。下羽根３１は、回転方向Ｘ１の下流側に位置する前方縁３２と、前方縁３２よりも回転方向Ｘ１の上流側に位置する後方縁３３とを有している。下羽根３１の先端部分３４は、平面視において調理容器４の内周面４ｂに沿うように湾曲するよう形成されている。
【００２７】
撹拌体２０の上羽根４１は、撹拌体２０の回転に伴い、調理容器４の内周面４ｂ側に位置するとともに液体の表面付近に位置する調理物をハウジング２１側に引き寄せるように構成されている。本実施の形態において、上羽根４１は、平面視においてハウジング２１の回転方向Ｘ１の上流側に向けて凸状に湾曲するように形成されている。
【００２８】
また、上羽根４１は、平面視において下羽根３１に対して回転方向Ｘ１にずれて配置されている。本実施の形態において、上羽根４１は、平面視において下羽根３１に対して回転方向Ｘ１に約１８０°ずれて配置されている。また、上羽根４１は、回転方向Ｘ１の下流側に位置する前方縁４５と、前方縁４５よりも回転方向Ｘ１の上流側に位置する後方縁４６とを有している。
【００２９】
また、調理容器４の内周面４ｂには、調理容器４の中心部側に突出するとともに上下方向に延在する邪魔部４Ａが設けられている。下羽根３１の先端部分３４及び上羽根４１は、軸体２４の軸回りに回転する際、邪魔部４Ａに接触しないように、調理容器４の内周面４ｂに対して所定の隙間を空けて配置されている。邪魔部４Ａについては、後で詳しく説明する。
【００３０】
次に、下羽根３１及び上羽根４１の構成について、より詳細に説明する。
【００３１】
図４は撹拌体２０の斜視図であり、図５は撹拌体２０の平面図である。図６Ａは図５の６Ａ−６Ａ断面図であり、図６Ｂは図５の６Ｂ−６Ｂ断面図であり、図６Ｃは図５の６Ｃ−６Ｃ断面図であり、図６Ｄは図５の６Ｄ−６Ｄ断面図である。
【００３２】
図３〜図５に示すように、本実施の形態において、下羽根３１は、一枚の板材をねじるようにして構成されている。下ハウジング部２２の近傍において、下羽根３１の前方縁３２は、後方縁３３よりも下方に位置している。すなわち、下ハウジング部２２の近傍において、下羽根３１は、回転方向Ｘ１の上流側に向かうに従い上方へ傾斜するように形成されている。この下羽根３１の下ハウジング部２２の近傍部分は、下羽根３１の回転に伴って、調理物を調理容器４の内周面４ｂに向けて押圧するように機能する。
【００３３】
また、下羽根３１は、下ハウジング部２２の外周面から離れるに従い後方縁３３の高さが低くなるように形成され、調理容器４の内周面４ｂの近傍では、前方縁３２と後方縁３３とは、同じ高さ又は略同じ高さになるように形成されている。この下羽根３１の調理容器４の内周面４ｂの近傍部分は、下羽根３１の回転に伴って、調理物に対して下羽根３１を乗り越えさせるように機能する。
【００３４】
下羽根３１の先端部分３４は、回転方向Ｘ１の上流側に向かうに従い上方に傾斜するように形成されている。この下羽根３１の先端部分３４は、下羽根３１の回転に伴って、調理容器４の内周面４ｂの近傍に蓄積された調理物を上方に持ち上げ、落下する際に反転させるように機能する。
【００３５】
また、下羽根３１の先端部分３４の近傍において、後方縁３３は、前方縁３２よりも下方に位置するとともに、前方縁３２よりもハウジング２１側に位置するように形成されている。すなわち、下羽根３１の先端部分３４は、ハウジング２１側に向けて下方に傾斜するように形成されている。これにより、下羽根３１の回転に伴い下羽根３１の先端部分３４を上る調理物は、ハウジング２１側に向かって落下しやすくなる。
【００３６】
また、図３〜図６Ｄに示すように、本実施の形態において、上羽根４１の羽根部分は、一枚の板材をねじるようにして構成されている。上ハウジング部２３の近傍において、上羽根４１の前方縁４５は、図６Ｂに示すように、後方縁４６よりも上方に位置している。すなわち、上ハウジング部２３の近傍において、上羽根４１は、回転方向Ｘ１の上流側に向かうに従い下方へ傾斜するように形成されている。この上羽根４１の上ハウジング部２３の近傍部分は、上羽根４１の回転に伴って、下羽根３１よりも上方に位置する調理物を調理容器４の底面４ａに向けて沈み込ませるように機能する。
【００３７】
また、上羽根４１の回転方向Ｘ１と平行な面Ｓ１に対する傾斜角度θ１は、図６Ｂ〜図６Ｄに示すように、調理容器４の内周面４ｂ側からハウジング２１の外周面側に向かうに従い小さくなっている。これにより、上羽根４１は、調理容器４の内周面４ｂ側に位置する調理物をより確実に捕獲してハウジング２１側に引き寄せることができる。また、この調理物を内側に寄せるに連れて下方に押圧する力を増加させることができ、より確実に調理物を調理容器４の底面４ａに向けて沈み込ませることができる。
【００３８】
また、上羽根４１の上端部となる前方縁４５は、ハウジング２１の外周面から調理容器４の内周面４ｂ側に向かうに従い上方へ湾曲又は傾斜する部分４５Ａを有している。これにより、上羽根４１の液体の表面から露出する部分が大きくなり、液体の表面付近の調理物をより確実に捕獲して、調理容器４の底面４ａに向けて沈み込ませることができる。
【００３９】
次に、撹拌体２０による調理物の撹拌動作について説明する。
【００４０】
図７Ａ〜図７Ｄは、撹拌体２０が調理物を撹拌する様子を示す平面図である。図８Ａは図７Ａの８Ａ−８Ａ断面図であり、図８Ｂは図７Ｂの８Ｂ−８Ｂ断面図であり、図８Ｃは図７Ｃの８Ｃ−８Ｃ断面図であり、図８Ｄは、図７Ｄの８Ｄ−８Ｄ断面図である。
【００４１】
ボルシチ（borscht）などの液体と固形物とを含む調理物を調理する場合を以下に説明する。なお、図７、図８に示す斜線のハッチングが付与されているものは調理物の内の固形物を表している。
【００４２】
まず、モータ９が駆動され、モータ９の回転力が駆動側磁石７と従動側磁石２５とで構成される磁気カップリングを介して撹拌体２０に伝達されると、撹拌体２０が回転方向Ｘ１に回転する。これにより、図７Ａ及び図８Ａに示すように、下羽根３１が固形物に接触する。また、このとき、上羽根４１が液体の表面Ｌ付近の固形物と接触する。
【００４３】
その後、更に撹拌体２０が回転方向Ｘ１に回転されると、図７Ｂ及び図８Ｂに示すように、下羽根３１がハウジング２１側の固形物を調理容器４の内周面４ｂ側に押圧し、この固形物が下羽根３１の先端部分３４に乗り上げる。また、このとき、上羽根４１が液体の表面Ｌ付近の固形物をハウジング２１側に引き寄せる。
【００４４】
その後、更に撹拌体２０が回転方向Ｘ１に回転されると、図７Ｃ及び図８Ｃに示すように、下羽根３１の先端部分３４に乗り上げた固形物は、下羽根３１よりも上方に持ち上げられる。また、このとき、上羽根４１が、ハウジング２１側に引き寄せた液体の表面Ｌ付近の固形物を調理容器４の底面４ａに向けて沈み込ませる。
【００４５】
その後、更に撹拌体２０が回転方向Ｘ１に回転されると、図７Ｄ及び図８Ｄに示すように、上羽根４１により調理容器４の底面４ａに向けて沈み込まされた固形物が、下羽根３１の回転方向Ｘ１の下流側へ移動する。
【００４６】
その後、更に撹拌体２０が回転方向Ｘ１に回転されると、図７Ａ及び図８Ａに示すように、下羽根３１が調理容器４の底面４ａ付近で且つハウジング２１側に位置する固形物に接触する。また、このとき、上羽根４１が、下羽根３１により上方に持ち上げられ、液体の表面Ｌ付近に到達した固形物と接触する。
【００４７】
以下、撹拌体２０が回転方向Ｘ１に回転される間、図７Ａ〜図７Ｄ及び図８Ａ〜図８Ｄに示す動作が繰り返される。これにより、液体と固形物とを含む調理物に上下の対流を発生させることができ、調理物をより所望の通りに撹拌させることができる。
【００４８】
次に、調理容器４の内周面４ｂに設けた邪魔部４Ａについてより詳しく説明する。
【００４９】
図９Ａ〜図９Ｄは、下羽根３１が調理物を撹拌するときの下羽根３１と邪魔部４Ａと調理物との位置関係を示す平面図である。図１０Ａは図９Ａに示す加熱調理器の一部切欠斜視図であり、図１０Ｂは図９Ｂに示す加熱調理器の一部切欠斜視図であり、図１０Ｃは図９Ｃに示す加熱調理器の一部切欠斜視図であり、図１０Ｄは図９Ｄに示す加熱調理器の一部切欠斜視図である。なお、ここでは、上羽根４１及び上ハウジング部２３の図示及び説明は省略する。
【００５０】
図２及び図１０Ａに示すように、邪魔部４Ａは、調理容器４の内周面４ｂから調理容器４の中心部側に突出するとともに上下方向に延在するように設けられている。邪魔部４Ａの調理容器４の中心部側への突出量は、例えば、６ｍｍである。邪魔部４Ａの水平方向に切った断面は、例えば、半円形である。
【００５１】
邪魔部４Ａの下端部４Ａａは、調理容器４の底面４ａと内周面４ｂとの間のコーナー部４Ｂに沿って湾曲するように形成されている。邪魔部４Ａの下端部４Ａａの始端は、調理容器４の底面４ａ上に位置している。これにより、下羽根３１の回転に伴って下羽根３１と邪魔部４Ａの端面で形成される三角エリアが上方に移動することになる。
【００５２】
まず、モータ９が駆動され、モータ９の回転力が駆動側磁石７と従動側磁石２５とで構成される磁気カップリングを介して撹拌体２０に伝達されると、下羽根３１が回転方向Ｘ１に回転する。これにより、図９Ａ及び図１０Ａに示すように、下羽根３１が調理物Ｃ１を調理容器４の内周面４ｂ側に押圧する。このとき、下羽根３１の先端部分３４に乗り上げることができずに下羽根３１と共に回転する調理物Ｃ１は、下羽根３１の回転が進むことで、下羽根３１と邪魔部４Ａとの間に挟まれる。
【００５３】
その後、更に撹拌体２０が回転方向Ｘ１に回転されると、図９Ｂ及び図１０Ｂに示すように、調理物Ｃ１は、下羽根３１と邪魔部４Ａの端面で形成される三角エリアが上方に移動することにより、邪魔部４Ａの下端部４Ａａの湾曲部に沿って持ち上げられるように移動する。
【００５４】
その後、更に撹拌体２０が回転方向Ｘ１に回転されると、図９Ｃ及び図１０Ｃに示すように、調理物Ｃ１は、下羽根３１の先端部分３４に押圧されて邪魔部４Ａに沿って上方へ持ち上げられる。
【００５５】
その後、更に撹拌体２０が回転方向Ｘ１に回転されると、図９Ｄ及び図１０Ｄに示すように、調理物Ｃ１は、下羽根３１の先端部分３４の上部に到達する。その後、調理物Ｃ１は、液体の表面Ｌ付近へ移動し、上羽根４１に接触することになる。
【００５６】
本実施の形態に係る加熱調理器によれば、撹拌体２０が、下羽根３１に加えて、下羽根３１よりも上方に位置する調理物を調理容器４の底面４ａに向けて沈み込ませるように構成された上羽根４１を備えている。この構成によれば、液体の表面Ｌ付近で浮遊する固形物を上羽根４１により調理容器４の底面４ａに向けて沈み込ませることで、撹拌体２０を高速で回転させることなく、この固形物を十分に撹拌することができる。従って、液体と固形物とを含む調理物をより所望の通りに撹拌することができる。
【００５７】
また、本実施の形態に係る加熱調理器によれば、上羽根４１が液体の表面Ｌを上下方向に横切るように配置されている。この構成によれば、液体の表面Ｌに浮いている固形物についても、より確実に調理容器４の底面４ａに向けて沈み込ませることができ、液体と固形物とを含む調理物をより所望の通りに撹拌することができる。
【００５８】
また、本実施の形態に係る加熱調理器によれば、上羽根４１は、調理容器４の内周面４ｂ側に位置するとともに下羽根３１よりも上方に位置する調理物をハウジング２１側に引き寄せるように構成されている。この構成によれば、下羽根３１よりも上方に位置する調理物には、ハウジング２１側に引き寄せられるという左右方向の力と、調理容器４の底面４ａに向けて沈み込ませられるという上下方向の力とが働くので、撹拌力を向上させることができる。
【００５９】
また、本実施の形態に係る加熱調理器によれば、下羽根３１は、調理容器４の内周面４ｂに向けて押圧した調理物を上方へ持ち上げるように構成されている。この構成によれば、下ハウジング部２２付近、調理容器４の内周面４ｂの下方付近、調理容器４の内周面４ｂの上方付近、上ハウジング部２３付近の４つの領域で調理物を循環させることができる。その結果、撹拌力を向上させることができる。
【００６０】
また、本実施の形態に係る加熱調理器によれば、上羽根４１は、平面視において下羽根３１に対して回転方向Ｘ１にずれて配置されている。この構成によれば、下羽根３１により上方に持ち上げられる調理物の移動が上羽根４１により阻害されることを抑えることができる。
【００６１】
また、本実施の形態に係る加熱調理器によれば、上羽根４１がハウジング２１に沿って上下方向に移動可能に構成されている。この構成によれば、液体の表面Ｌの位置に応じて上羽根４１の上下方向の位置を調整することができる。これにより、液体の表面Ｌ付近で浮遊する固形物を、より確実に、上羽根４１により調理容器４の底面４ａに向けて沈み込ませることができる。
【００６２】
また、本実施の形態に係る加熱調理器によれば、上羽根４１が液体の浮力により浮くように構成されている。この構成によれば、使用者自身が液体の表面Ｌの位置に応じて上羽根４１の上下方向の位置を調整する必要性を無くすことができる。
【００６３】
また、本実施の形態に係る加熱調理器によれば、上羽根４１が中空部４３を備えている。この構成によれば、中空部４３により浮力を持たせることができるので、上羽根４１を液体よりも比重が高い材料で構成することが可能になる。その結果、圧力式の加熱調理器でも使用できるように、上羽根４１の剛性や耐熱性を向上させることができる。
【００６４】
また、本実施の形態に係る加熱調理器によれば、調理容器４の内周面４ｂに邪魔部４Ａが設けられ、邪魔部４Ａの下端部が調理容器４のコーナー部４Ｂに沿って湾曲するように形成されている。この構成によれば、下羽根３１と邪魔部４Ａとの隙間をより狭くすることができるので、下羽根３１と調理容器４の内周面４ｂとの隙間により大きな調理物が詰まって下羽根３１の回転が停止するようなことを抑えることができる。また、調理物をより確実に上方に持ち上げることができる。なお、邪魔部４Ａは、調理容器４の内周面４ｂに少なくとも１つ設けられればよい。
【００６５】
また、本実施の形態に係る加熱調理器によれば、撹拌体２０が磁気カップリングを介して着脱自在に調理容器４の底面４ａの中心部に取り付けられている。この構成によれば、撹拌体２０を取り外して容易に清掃することができ、取り付けも容易であるなど利便性に優れる。また、この構成によれば、例えば、撹拌体２０に回転力を伝達するために、調理容器４の底部に回転軸となるシャフトを貫通させる貫通穴を設けるなどの必要性を無くすことができる。また、この構成によれば、下羽根３１と調理容器４の内周面４ｂ（又は邪魔部４Ａ）との隙間に調理物が詰まった場合でも、撹拌体２０が負荷を逃がすように磁力が働く範囲内で移動することができる。従って、下羽根３１の回転が停止するようなことを抑えることができる。
【００６６】
なお、本発明は実施の形態に限定されるものではなく、その他種々の態様で実施できる。例えば、図４に示す構成では、上羽根４１の上端部となる前方縁４５が、ハウジング２１の外周面から調理容器４の内周面４ｂ側に向かうに従い上方へ湾曲又は傾斜する部分４５Ａを有するものとしたが、本発明はこれに限定されない。例えば、図１１に示すように、上羽根４１の下端部となる後方縁４６が、ハウジング２１の外周面から調理容器４の内周面４ｂ側に向かうに従い下方へ湾曲又は傾斜する部分４６Ａを有し、上羽根４１の先端部分を下方に拡大する構成としてもよい。この構成によれば、下羽根３１により調理物が液体の表面Ｌ付近まで持ち上げられなくても、上羽根４１の先端部分が下方に拡大されていることで、より確実に調理物を捕獲することができる。
【００６７】
また、図５に示す構成では、上羽根４１は、平面視において下羽根３１に対して回転方向Ｘ１に約１８０°ずれて配置されるものとしたが、本発明はこれに限定されない。上羽根４１と下羽根３１とが成す角度が小さすぎると、下羽根３１により調理物が上方に十分に持ち上げられる前に上羽根４１が通過してしまうことが起こり得る。一方、上羽根４１と下羽根３１とが成す角度が大きすぎると、上羽根４１により調理物が底面４ａに向けて十分に沈み込ませられる前に下羽根３１が通過してしまうことが起こり得る。このため、上羽根４１と下羽根３１とが成す角度は、９０°〜２７０°であることが好ましい。
【００６８】
また、図１０Ａに示す構成では、邪魔部４Ａの下端部４Ａａの始端は、調理容器４の底面４ａ上に位置するものとしたが、本発明はこれに限定されない。例えば、邪魔部４Ａの下端部４Ａａの始端は、調理容器４のコーナー部４Ｂ上に位置してもよい。
【００６９】
また、図４に示す構成では、下羽根３１及び上羽根４１は、それぞれ一枚の板材をねじるようにして構成されるものとしたが、本発明はこれに限定されない。例えば、下羽根３１及び上羽根４１は、樹脂の射出成形により立体的に構成されてもよい。
【００７０】
なお、様々な実施の形態のうちの任意の実施の形態を適宜組み合わせることにより、それぞれの有する効果を奏するようにすることができる。
【産業上の利用可能性】
【００７１】
本発明によれば、液体と固形物とを含む調理物をより所望の通りに撹拌することができるので、撹拌機能付き加熱調理器に有用である。
【符号の説明】
【００７２】
１  機器本体
１Ａ  ヒンジ部
２  蓋体
３  操作部
３Ａ  操作キー群
３Ｂ  表示部
４  調理容器
４ａ  底面
４ｂ  内周面
４Ａ  邪魔部
４Ａａ  下端部
４Ｂ  コーナー部
５  収納部
６  モータ保持部
７  駆動側磁石
８  磁石保持部
９  モータ
９Ａ  駆動軸
１０  ヒータ
１１  制御部
２０  撹拌体
２１  ハウジング
２２  下ハウジング部
２３  上ハウジング部
２４  軸体
２５  従動側磁石
３１  下羽根
３２  前方縁
３３  後方縁
３４  先端部分
４１  上羽根
４２  移動部
４３  中空部
４４  把手部
４５  前方縁
４６  後方縁
【図１】
2017033408.tif 000003
【図２】
2017033408.tif 000004
【図３】
2017033408.tif 000005
【図４】
2017033408.tif 000006
【図５】
2017033408.tif 000007
【図６Ａ】
2017033408.tif 000008
【図６Ｂ】
2017033408.tif 000009
【図６Ｃ】
2017033408.tif 000010
【図６Ｄ】
2017033408.tif 000011
【図７Ａ】
2017033408.tif 000012
【図７Ｂ】
2017033408.tif 000013
【図７Ｃ】
2017033408.tif 000014
【図７Ｄ】
2017033408.tif 000015
【図８Ａ】
2017033408.tif 000016
【図８Ｂ】
2017033408.tif 000017
【図８Ｃ】
2017033408.tif 000018
【図８Ｄ】
2017033408.tif 000019
【図９Ａ】
2017033408.tif 000020
【図９Ｂ】
2017033408.tif 000021
【図９Ｃ】
2017033408.tif 000022
【図９Ｄ】
2017033408.tif 000023
【図１０Ａ】
2017033408.tif 000024
【図１０Ｂ】
2017033408.tif 000025
【図１０Ｃ】
2017033408.tif 000026
【図１０Ｄ】
2017033408.tif 000027
【図１１】
2017033408.tif 000028
【国際調査報告】
2017033408.tif 000029
2017033408.tif 000030
2017033408.tif 000031
2017033408.tif 000032